(57)【特許請求の範囲】
【請求項１】
ドア（Ｄ）の室内側の面に取り付けられるラッチ座（１）と、そのラッチ座（１）にスライド可能に支持されて前記ドア（Ｄ）の戸先から突出可能なラッチ（２）と、そのラッチ（２）に設けられたラック（１０）に噛み合うピニオン（１３）と、表示窓（１９）を有する表示カバー（２０）で覆われた表示体（１６）と、その表示体（１６）に前記ピニオン（１３）の回転を伝達する伝達機構とを有し、前記表示体（１６）に形成された使用中表示部（１７）と不使用表示部（１８）を前記表示窓（１９）に切り替えて表示するラッチ錠において、前記ラッチ（２）を、前記ラック（１０）が形成されたラッチ本体（１１）と、そのラッチ本体（１１）に取り付けられるラッチカバー（１２）とで構成し、そのラッチカバー（１２）を前記ラッチ座（１）に形成されたガイド溝（２４）で案内することを特徴とするラッチ錠。
【請求項２】
前記ラッチカバー（１２）を取り外した状態で前記ラック（１０）と前記ピニオン（１３）を室内側から視認可能とした請求項１に記載のラッチ錠。
【請求項３】
前記ラッチ座（１）が、前記ドア（Ｄ）の室外側の面に取り付けられる表示座（３）とビス（６）で連結され、そのビス（６）を挿入するビス挿入孔（７）を前記ラッチ座（１）に形成し、前記ビス（６）をねじ込むねじ孔（９）を前記表示座（３）に形成した請求項１または２に記載のラッチ錠。
【発明の詳細な説明】
【技術分野】
【０００１】
この発明は、トイレ等のドアを施解錠するラッチ錠に関する。
【背景技術】
【０００２】
スーパーや病院等のトイレのドアを施解錠する錠として、一般に、ドアの室内側に設けられたラッチをスライドさせてドアの戸先から突出させ、その突出部分をドア枠に取り付けられた受け具に係合させて施錠するラッチ錠が用いられる。
【０００３】
このようなラッチ錠として、施解錠の状態を室外側に表示する表示機能付きのラッチ錠が知られており、たとえば、ドアの室内側に取り付けられるラッチ座と、そのラッチ座にスライド可能に支持されたラッチと、ラッチに形成されたラックと噛み合うピニオンを有し、そのピニオンの回転を室外側に設けられた表示体に伝達し、その表示体に形成された使用中表示部と不使用表示部を表示カバーに形成された表示窓に切り替えて表示するものが知られている（特許文献１）。
【特許文献１】特開２００２−３４９１０７号公報
【発明の開示】
【発明が解決しようとする課題】
【０００４】
しかし、このラッチ錠は、ラッチに形成されたフランジにラックが形成されるとともに、そのフランジがラッチ座に形成されたガイド溝で案内されるので、ラッチをラッチ座に組み付けるときに、ラックが形成されたフランジがガイド溝で案内された状態で、ラックとピニオンを噛み合わせる必要がある。そのため、ラックとピニオンが噛み合う前にフランジとの接触によりピニオンが回転しやすく、ラッチ座に対するラッチの位置と表示窓に対する表示体の位置を対応させるのが難しかった。
【０００５】
この発明が解決しようとする課題は、ラッチをラッチ座に組み付けるときに、ラッチ座に対するラッチの位置と表示窓に対する表示体の位置を対応させることが容易なラッチ錠を提供することである。
【課題を解決するための手段】
【０００６】
上記の課題を解決するために、ドアの室内側の面に取り付けられるラッチ座と、そのラッチ座にスライド可能に支持されて前記ドアの戸先から突出可能なラッチと、そのラッチに設けられたラックに噛み合うピニオンと、表示窓を有する表示カバーで覆われた表示体と、その表示体に前記ピニオンの回転を伝達する伝達機構とを有し、前記表示体に形成された使用中表示部と不使用表示部を前記表示窓に切り替えて表示するラッチ錠において、前記ラッチを、前記ラックが形成されたラッチ本体と、そのラッチ本体に取り付けられるラッチカバーとで構成し、そのラッチカバーを前記ラッチ座に形成されたガイド溝で案内するようにした。
【０００７】
このラッチ錠は、次の構成を加えるとより好ましいものとなる。
１）前記ラッチカバーを取り外した状態で前記ラックと前記ピニオンを室内側から視認可能とする。
２）前記ラッチ座が、前記ドアの室外側の面に取り付けられる表示座とビスで連結され、そのビスを挿入するビス挿入孔を前記ラッチ座に形成し、前記ビスをねじ込むねじ孔を前記表示座に形成するとより好ましいものとなる。
【発明の効果】
【０００８】
この発明のラッチ錠は、ガイド溝で案内されるラッチカバーとは別体のラッチ本体にラックを形成したので、ラッチカバーを取り外しておくことによって、ガイド溝で案内されない状態でラックとピニオンを噛み合わせることができ、ピニオンを回転させずにラックと噛み合わせることができる。そのため、ラッチをラッチ座に組み付けるときに、ラッチ座に対するラッチの位置と表示窓に対する表示体の位置を対応させることが容易である。
【０００９】
さらに、前記ラッチカバーを取り外した状態で前記ラックと前記ピニオンを室内側から視認可能としたものは、ラックとピニオンを視認しながら噛み合わせることができるので、ラッチ座に対するラッチの位置と表示窓に対する表示体の位置を対応させるのがより容易である。
【００１０】
また、前記ラッチ座と前記表示座を連結するビスを挿入するビス挿入孔を前記ラッチ座に形成し、前記ビスをねじ込むねじ孔を前記表示座に形成したものは、ラッチ座側からビスを挿入するので、表示座がなくてもラッチ座をドアに取り付けることができ、表示機能のないラッチ錠としても使用することができる。
【発明を実施するための最良の形態】
【００１１】
図１、図２に、この発明の実施形態のラッチ錠を示す。このラッチ錠は、ドアＤの室内側の面に取り付けられるラッチ座１と、ラッチ座１にスライド可能に支持されるラッチ２と、ドアＤの室外側の面に取り付けられる表示座３とを有し、ラッチ２をスライドさせてドアＤの戸先から突出させ、その突出部分をドア枠Ｗに取り付けられた受け具４に係合させて施錠する。
【００１２】
ラッチ座１と表示座３は、ドアＤに形成された貫通孔５を通じてビス６で連結される。ラッチ座１には、ビス６を挿入するビス挿入孔７が形成され、表示座３には、ドアＤへの取り付け面に形成された突起８の先端にビス６をねじ込むねじ孔９が形成されている。
【００１３】
ラッチ２は、図３に示すように、ラック１０が形成されたラッチ本体１１と、ラッチ本体１１に取り付けられるラッチカバー１２とからなる。ラック１０は、ラッチ座１に回転可能に支持されたピニオン１３と噛み合っており、ラッチ２のスライドによってピニオン１３が回転する。
【００１４】
ピニオン１３は、図１に示すように、ドアＤに形成された貫通孔１４を通じて、表示座３に回転可能に支持された回転軸１５に接続され、その回転軸１５を介してピニオン１３の回転が表示体１６に伝達するようになっている。
【００１５】
表示体１６には、図４に示すように、施錠状態であることを示す使用中表示部１７と、解錠状態であることを示す不使用表示部１８が形成されている。表示体１６は、表示窓１９を有する表示カバー２０で覆われており、その表示窓１９に、表示体１６の使用中表示部１７と不使用表示部１８が切り替えて表示される。
【００１６】
ラッチカバー１２は、図５、図６に示すように、上下に向かい合う１対の対向壁２１と、その対向壁２１の一端同士を連結する連結壁２２と、対向壁２１の他端に形成された内向きのフランジ２３とからなり、そのフランジ２３を案内するガイド溝２４がラッチ座１の上面と下面に形成されている。
【００１７】
また、ラッチ本体１１の一端部には、図５に示すように、フランジ２３との対向面から出没可能な係止部材２５が組み込まれ、係止部材２５は、図１に示すばね２６で突出方向に付勢されている。係止部材２５は、図４に示すように、ラッチ本体１１をラッチカバー１２に導入したときに、フランジ２３に形成された係止爪２７に係止され、ラッチカバー１２をラッチ本体１１に対して位置決めする。
【００１８】
また、ラッチ本体１１の係止部材２５の反対側には、図７に示すように、ばね２６で付勢されて連結壁２２に押さえ付けられるばねキャップ２８が取り付けられており、このばねキャップ２８が、ラッチ本体１１の一端部とラッチカバー１２の間のがたつきを吸収している。
【００１９】
同様に、ラッチ本体１１の他端部にも、図１に示すように、ばね２９で付勢されて連結壁２２に押さえ付けられるばねキャップ３０が取り付けられており、このばねキャップ３０がラッチ本体１１の他端部とラッチカバー１２の間のがたつきを吸収している。
【００２０】
図３に示すように、ラック１０には、解錠したときにピニオン１３と噛み合う位置にマーク３１が付されており、ピニオン１３には、不使用表示部１８を表示窓１９に表示したときにラック１０と噛み合う位置にマーク３２が付されている。
【００２１】
このラッチ錠は、たとえば次のようにして組み立てることができる。
【００２２】
まず、ドアＤに形成された貫通孔５を通じて表示座３とラッチ座１をビス６で連結する。このとき、ラッチ座１に支持されたピニオン１３は、ドアＤに形成された貫通孔１４を通じて表示座３に支持された回転軸１５に接続される。つぎに、ラック１０に付されたマーク３１をピニオン１３に付されたマーク３２と対応させて、ラック１０とピニオン１３を噛み合わせる。その後、ラッチカバー１２のフランジ２３をラッチ座１のガイド溝２４に導入して係止部材２５を係止爪２７に係止させ、ラッチカバー１２とラッチ本体１１を一体化する。
【００２３】
このラッチ錠は、ガイド溝２４で案内されるラッチカバー１２とは別体のラッチ本体１１にラック１０を形成したので、ラッチカバー１２を取り外しておくことによって、ガイド溝２４で案内されない状態でラック１０とピニオン１３を噛み合わせることができ、ピニオン１３を回転させずにラック１０と噛み合わせることができる。そのため、ラッチ座１に対するラッチ２の位置と表示窓１９に対する表示体１６の位置を容易に対応させることができる。
【００２４】
また、ラッチ本体１１の室内側から視認可能な位置にラック１０を形成するとともに、そのラック１０と噛み合うピニオン１３を室内側から視認可能な位置に設けているので、ラック１０とピニオン１３を視認しながら噛み合わせることができ、ラッチ座１に対するラッチ２の位置と表示窓１９に対する表示体１６の位置を対応させるのがより容易である。
【００２５】
また、このラッチ錠は、ラッチ座１側からビス６を挿入するので、表示座３がなくてもラッチ座１をドアＤに取り付けることができ、表示機能のないラッチ錠としても使用することができる。
【００２６】
図では、ピニオン１３の回転が直接表示体１６に伝達するようにしているが、ピニオン１３と表示体１６の間に減速機構を組み込んで、ピニオン１３の回転が減速して表示体１６に伝達するようにしてもよく、また、表示体１６と回転軸１５の間にラックピニオン機構を組み込み、ピニオン１３の回転をスライド運動に変換して表示体１６に伝達するようにしてもよい。要は、ピニオン１３の回転が表示体１６に伝達し、その表示体１６に形成された使用中表示部１７と不使用表示部１８を表示窓１９に切り替えて表示すればよい。
【図面の簡単な説明】
【００２７】
【図１】この発明の実施形態のラッチ錠の断面図
【図２】図１のラッチ錠を室内側から見た斜視図
【図３】図１のラッチ錠の室内側から見た分解斜視図
【図４】図１のラッチ錠を室外側から見た斜視図
【図５】図１のラッチ錠を室外側から見た分解斜視図
【図６】図１のＶＩ−ＶＩ線に沿った断面図
【図７】図１のＶＩＩ−ＶＩＩ線に沿った断面図
【符号の説明】
【００２８】
１      ラッチ座
２      ラッチ
３      表示座
６      ビス
７      ビス挿入孔
９      ねじ孔
１０    ラック
１１    ラッチ本体
１２    ラッチカバー
１３    ピニオン
１６    表示体
１７    使用中表示部
１８    不使用表示部
１９    表示窓
２０    表示カバー
２４    ガイド溝
【図１】
0004741972.tif 000002
【図２】
0004741972.tif 000003
【図３】
0004741972.tif 000004
【図４】
0004741972.tif 000005
【図５】
0004741972.tif 000006
【図６】
0004741972.tif 000007
【図７】
0004741972.tif 000008